Podtech/llm-jp-corpus-v4-ja_patent huggingface dataset:
(57)【要約】      （修正有）【課題】ストッキング干し専用ハンガーの提供。【解決手段】本体フック共にポリプロピレン  ネットはポリエステルネットで非常に軽く持ち運びできます。強風の時などストッキングがからまないし、本体にも手掛け留めが付いてる為落ちたり動いたりしません。また、風通しもよくつなぎ目はバイヤステープ使用の為ストッキングがからまったり、傷ついたりしません。【選択図】図１
0003114967.tif 000002
【実用新案登録請求の範囲】
【請求項１】
ストッキング干し専用ハンガー
ピンチハンガーにポリエステルネットを付ける
【請求項２】
ピンチハンガーには手掛け留めが付いてる為竿に掛けても落ちない動かない、どんなに強風でもネットが１メートルある為ストッキングがからまない。
ネットの為風通しもよく、ネットのつなぎ目はすべてバイヤステープを使用してる為ストッキングには傷はつきません。ネットを開く部分はファスナーもしくはボアテープ、マジックテープを使用簡単に開け閉めが出来ストッキング専用ハンガーです。ボアテープ使用の時は３ヶ所位つけます。
【考案の詳細な説明】
【技術分野】
【０００１】ストッキング干し専用ハンガー
【背景技術】
【０００２】格家庭には一つ欲しいハンガーです。ストッキングだけでなくレース地の肌着を干しても安心です。
【考案の開示】
【考案が解決しようとする課題】
【０００３】本考案は風の強い日でも今まではストッキングが竿や他の洗濯物にからみ付き、傷をつけたりからんだものを取るのも大変な時間労力がいるので、この欠点を解消します。
【課題を解決するための手段】
【０００４】ポリエステルネットの為、風通しがよく気持ちよく乾きます。
【考案の効果】
【０００５】手掛け留めがある為強風でも竿から落ちたり動いたりしません。
【考案を実施するための最良の形態】
【０００６】本体の色はブルーでソフトピンチは１０から１５ケです
【実施例】
【０００７】本体もフックもポリプロピレンです。ネットはポリエステルネット開閉はファスナ−またはボアテープ、マジックテープ使用です。
【産業上の利用可能性】
【０００８】誰が見ても燃えないゴミ処理です。
【図面の簡単な説明】
【０００９】
【図１】本考案のストッキング干し専用ハンガーの正面図です。
【図２】本考案のストッキング干し専用ハンガーのポリエステルネットの正面図です。
【符号の説明】
【００１０】▲１▼ストッキング干し専用ハンガーの本体
▲２▼フック
▲３▼手掛け留め
▲４▼ソフトピンチ１０から１５ケ
▲５▼ポリエステルネット
▲６▼ファスナーまたはボアテープ  マジックテープ
▲７▼ストッキング
▲８▼手掛け通し
▲９▼ポリエステルネット
▲１０▼ファスナー
▲１１▼テープ使用の時ボアテープ  マジックテープ（３ケ所）
【図１】
0003114967.tif 000003
【図２】
0003114967.tif 000004
【手続補正書】
【提出日】平成17年6月28日(2005.6.28)
【手続補正１】
【補正対象書類名】実用新案登録請求の範囲
【補正対象項目名】全文
【補正方法】変更
【補正の内容】
【実用新案登録請求の範囲】
【請求項１】
丸型ピンチハンガーのフック下部に袋状のポリエステルネット本体を取り付け、ポリエステルネット側面には面ファスナーを有するストッキング干し専用ハンガー。
【手続補正２】
【補正対象書類名】明細書
【補正対象項目名】全文
【補正方法】変更
【補正の内容】
【考案の詳細な説明】
【技術分野】
【０００１】本考案はストッキング干し専用ハンガーに関するものでありポリエステルネットが被せてある為ストッキングが絡まないようにしたもである。
【背景技術】
【０００２】従来ストッキングを干す時は竿に干したりしてました。
【考案の開示】
【考案が解決しようとする課題】
【０００３】本考案は今まで風の強い日はストッキングが竿に絡んだり、他のせんたく物に絡みつき傷をつけたりし、絡んだ物を取り込むのに大変な時間と労力がいるので、この欠点を解消します。
【課題を解決する為の手段】
【０００４】そこで、考案した図２  ストッキングが絡まない様に、ネットが被せてあります。ネッとは面ファスナーで開閉し簡単に使用できます
【考案の効果】
【０００５】手賭け留めがある為強風でも竿から落ちたり、動いたりしません。
【考案を実施する為の最良の形態】
【０００６】図１はピンチハンガーにポリエステルネッとを設けたことを特徴とする本体の正面図であります。ネットが被せてある為ストッキングの絡みを防止する事ができます
【実施例】
【０００７】これらのストッキング干し専用ハンガーの材料は、本体もフックもポリプロレチンで、ネットは、ポリエステルネット  開閉は、面ファスナーをしようです。
【産業上の利用可能性】
【０００８】本考案に係わるストッキング干し専用ハンガーは工業的に量産する事が可能である為、産業上の利用可能性を有する。
【図面の簡単な説明】
【０００９】
【図１】〔図２〕本考案のストッキング干し専用ハンガーの正面図です。〔説明〕
【符号の説明】
【００１０】１    ストッキング干し専用ハンガーの本体２    フック３    手賭け留め４    ソフトピンチ５    ポリエステルネット６    面ファスナー７    ストッキング８    手賭け通し９    ポリエステルネッと１０  面ファスナー
【手続補正３】
【補正対象書類名】図面
【補正対象項目名】全図
【補正方法】変更
【補正の内容】
【図１】
0003114967.tif 000005
【図２】
0003114967.tif 000006
(57)【要約】      （修正有）【課題】直接プリント基板に半田付けする水晶発信器(ＶＣＯ)等の金属ケースについて、外側折り曲げ部分に切り欠き、又は穴を設けることで、半田付け作業が容易になり、且つプリント基板に確実に固定することができる金属ケースの半田付け簡易構造を提供する。【解決手段】金属ケースの半田付け簡易構造は、直接プリント基板に半田付けする下方開口の箱形状に形成された金属ケース１の４側壁の下端を外側に折り曲げて折り曲げ部分２を形成し、該折り曲げ部分２のプリント基板４に接する部分に、折り曲げ部分２を横断する方向にスリット状の切り欠き３を数箇所に設けたものである。また、折り曲げ部分２のプリント基板に接する部分に、切り欠き３に代えて穴を設けた。【選択図】図１
0003114927.tif 000002
【実用新案登録請求の範囲】
【請求項１】
直接プリント基板に半田付けする下方開口の箱形状に形成された金属ケースの４側壁の下端を外側に折り曲げて折り曲げ部分を形成し、該折り曲げ部分のプリント基板に接する部分に、前記折り曲げ部分を横断する方向にスリット状の切り欠きを数箇所に設けたことを特徴とする金属ケースの半田付け簡易構造。
【請求項２】
直接プリント基板に半田付けする下方開口の箱形状に形成された金属ケースの４側壁の下端を外側に折り曲げて折り曲げ部分を形成し、前記折り曲げ部分のプリント基板に接する部分に、前記切り欠きに代えて穴を設けたことを特徴とする金属ケースの半田付け簡易構造。
【考案の詳細な説明】
【技術分野】
【０００１】
本考案は、プリント基板に半田付けする金属ケースについて、半田付け作業が容易になり、且つプリント基板に確実に固定することができる金属ケースの半田付け簡易構造に関するものである。
【背景技術】
【０００２】
従来、水晶発信器(ＶＣＯ)等の金属ケースを製作する場合、プリント基板に半田付けする際、図４に示すようにケース構造は箱型状のまま周囲を半田付けするか、或いは図５に示すようにケースに設けたツメ部分にのみ半田付けすることで固定していた。
この場合、ケース周囲の半田付けでは半田の量を均等にすることが困難で、作業性に難点があること、またツメ部分だけの半田付けでは、アース不十分等の電気的性能に影響する場合がある、といった欠点があった。
また、衝撃等に対する所望の強度を確保すると共に、シールドケース枠体の半田付けフィレットの点検・修理を容易に行うことができ、且つ小型化を図った電子機器もある（特許文献１を参照）。
このものは、シールドケース枠体とシールドケース蓋体の２点で構成され、シールドケース蓋体をシールドケース枠体に被せることでシールド構造を形成しており、且つ組立工程としてはシールドケース枠体の内側の切欠き個所に半田を付してからシールドケース蓋体を被せるようになっており、シールドケースの構造及び組立工程が複雑となっている。
【特許文献１】特開２００４‐２３５５０１号公報
【考案の開示】
【考案が解決しようとする課題】
【０００３】
本考案は、直接プリント基板に半田付けする水晶発信器(ＶＣＯ)等の金属ケースについて、外側折り曲げ部分に切り欠き、又は穴を設けることで、半田付け作業が容易になり、且つプリント基板に確実に固定することができる金属ケースの半田付け簡易構造を提供するものである。
【課題を解決するための手段】
【０００４】
本考案の金属ケースの半田付け簡易構造は、直接プリント基板に半田付けする下方開口の箱形状に形成された金属ケースの４側壁の下端を外側に折り曲げて折り曲げ部分を形成し、該折り曲げ部分のプリント基板に接する部分に、前記折り曲げ部分を横断する方向にスリット状の切り欠きを数箇所に設けたものである。
また、前記折り曲げ部分のプリント基板に接する部分に、前記切り欠きに代えて穴を設けたものである。
【考案の効果】
【０００５】
本考案の金属ケースの半田付け簡易構造は、外側折り曲げ部分に切り欠き、又は穴を設けることにより、半田量が従来と比較して少量で済み、且つ均等に確実にプリント基板に取り付け、固定することが出来る。
【考案を実施するための最良の形態】
【０００６】
本考案の金属ケースの半田付け簡易構造の一実施例を図面に基づいて、以下に説明する。
図１は全体斜視図であり、金属ケース１は直接プリント基板に半田付けする水晶発信器(ＶＣＯ)等を被う下方開口の箱形状に形成され、金属ケース１の４側壁の下端を外側に折り曲げて折り曲げ部分２を形成する。
前記折り曲げ部分２のプリント基板（図示せず）に接する部分に、前記折り曲げ部分２を横断する方向にスリット状の切り欠き３を数箇所に設ける。
図１に示すように、スリット状の切り欠き３部は、プリント基板（図示せず）に接しない前記折り曲げ部分２のない空間となっている。
【０００７】
次に、本考案の金属ケースの半田付け簡易構造の組立工程を図面に基づいて説明する。
図２の切り欠き部の断面図に示すように、水晶発信器(ＶＣＯ)等を被う金属ケース１はプリント基板４に載置され、前記切り欠き３はプリント基板４に接しない前記折り曲げ部分２のない隙間５となっている。
その隙間５に金属ケース１の外側から半田６を流すことによって、半田量が均等で金属ケース１とプリント基板３の密着が容易に行うことが可能となる。
このようにして、半田付け作業が容易になり、且つプリント基板に確実に固定することができる。
【０００８】
本考案の金属ケースの半田付け簡易構造の他の実施例として、図３の断面図に示すように、前記折り曲げ部分２のプリント基板４に接する部分に、前記切り欠き３に代えて穴７を数箇所に設ける。
前述と同様に、前記穴７に金属ケース１の外側から半田を流すことによって、半田量が均等で金属ケース１とプリント基板３の密着が確実に行うことが可能となる。
なお、全ての切り欠き３を穴７に代えても良いし、切り欠き３の一部を穴７としても良い。
前述と同様にして、半田付け作業が容易になり、且つプリント基板に確実に固定することができる。
【図面の簡単な説明】
【０００９】
【図１】本考案の金属ケースの半田付け簡易構造の全体斜視図である。
【図２】本考案の切り欠き部の拡大断面図である。
【図３】本考案の他の実施例の穴部の拡大断面図である。
【図４】従来の箱型のケース構造の全体斜視図である。
【図５】従来のツメを設けたケース構造の全体斜視図である。
【符号の説明】
【００１０】
１  金属ケース
２  折り曲げ部分
３  切り欠き
４  プリント基板
５  隙間
６  半田
７  穴
【図１】
0003114927.tif 000003
【図２】
0003114927.tif 000004
【図３】
0003114927.tif 000005
【図４】
0003114927.tif 000006
【図５】
0003114927.tif 000007
(57)【要約】【課題】  自力で身体が動けない患者を、病院・在宅で支えている介護者は、体力的に大変な負担があります。老老介護が始まる今、優しい介護用品としてループシートは体位変換と同時に褥瘡防止を容易にする。【解決手段】  患者はシート上部の（８）（９）の中央に首を当てる。上向に寝て充分の巾面積があり、丈は腰部分下までくる形。シート本体（１）の巾両端に握り手（３）（４）（５）（６）（７）を左右対照に付けた。介護者が移動方向へ握り手を引くとシート本体が患者を包み込んで自然体で移動し体圧分散をして床ずれを防ぐ。更に上部の（２）の左右に（８）（９）と握り手を付け頭部方向に引くと滑り落ちを直すことが出来た。【選択図】        図１
0003114976.tif 000002
【実用新案登録請求の範囲】
【請求項１】
摩擦係数の大きい係止面よりなる材質で、シーツ・エアーマット上に敷くことで、滑り止め防止になる。患者が仰臥位状態で充分の巾広で、丈は首部分から腰部分下までの長方形を形成し、巾両端部・頭部分の三方に握り手を設けたことに特徴がある体位変換ループシートである。
【考案の詳細な説明】
【技術分野】
【０００１】  本考案は自力では移動が困難な患者を体位変換して褥瘡防止をすることで滑り落ちを直す、端座位させるなど介護用品として、容易に目的を果たすことが出来るループシートである。
【背景技術】
【０００２】  従来、医療関係で患者は寝着とシーツの間にバスタオル等を敷き、介護者はバスタオルの端を引く他、力を入れるところがなく、容易に上がらなかった。【０００３】  介護用シーツ、平成１０年３０５３６５２号実用新案登録されているが、材質・形状・握り手部分等異なり、汚れ防止と体位変換のみを目的としている。
【考案の開示】
【考案が解決しようとする課題】
【０００４】  自力では動くことの困難な患者に対して、体位変換をこまめにすることは褥瘡を防ぐ大事なことですが、在宅介護者にとって昼夜を問わずの移動は体力的に耐久性が続かない。【０００５】  従来は褥瘡を防ぐのは清潔にすれば良とされていたが近年はそれに加え体位変換で体圧の分散がより高い効果がある。簡単で楽な介護用品は介護者の負担が軽くてすむ。【０００６】  バスタオルで滑り落ちを直す場合、上部に引くことは身体全体の重量が乗るのでしっかり固定されてないと持ち上がらない。
【課題を解決するための手段】
【０００７】  本考案は、シート本体（１）の巾両端に握り手（３）（４）（５）（６）（７）を左右対照に付けた。肩部から腰部分下にあたる所までの丈全部の両側に握り手を付けた。上部（２）は頭部・首部分が充分触れない距離に（８）（９）の握り手部分を付けた。沢山の握り手を付けることで力の弱い人でも何人かで、どの位置からでも患者を支えることで移動が楽に出来、患者にも優しい使い勝手の良い介護用品である。
【考案の効果】
【０００８】  本考案のループシートは、体位変換と褥瘡防止を同時に兼ねて行う。介護者は移動方向へ握り手を引くことで、テコの原理で患者は布に沿って、くるっと変換し、無理な力が加わることもない優しい介護が簡単に出来る。【０００９】  端座位には本考案（３）（４）（５）左右対称にある握り手を引いて布に抱かれて上半身を起こすことになり、患者に安心感を与える。ベッド上の端座位が長時間で疲れる時は、（５）（６）（７）左右対称にある握り手を介護人が両側から持ってリハビリを続けることで患者の回復になる。【００１０】  本考案は片手で移動方向に握り手を引いて体位変換を行い、片方で背中にクッションをポジションに置く等、片手でも介護が出来るもので、着替・清拭・シーツ交換にも使えるループシートです。【００１１】  本考案はシーツのしわは寝心地を悪くするばかりか床ずれを起す。やわらかい素材も優しい反面、背中が曲がった姿勢になり床ずれを起す。介護用品で褥瘡になることは避けたい。【００１２】  本考案のループシートは軽くバッグに入るほどに小さく出来、収納が容易で持ち運びが便利である。【００１３】  本考案のループシートは沢山の握り手があり、（３）は肩甲骨部分、（４）は背中部分、（５）（６）は仙骨部分とそれぞれ握り場所に力が入り、中心となって回転する。おむつ替えで向きを変えるのに、（７）の握り手を移動方向に引くことで、上半身も移動する。（３）〜（７）のどれを引っ張ても体位変換が出来る。【００１４】  本考案は災害、停電の有事にも設備を必要としないので、患者・介護者に負担のない適切な対応ができます。【００１５】  本考案のループシートは充分の巾で丈も腰の下迄の広く安定した長方形で握り手も充分あり、包み込むので担架にしても違和感がない。サイズの選択も出来るので短距離救急用担架として使用できる。【００１６】  本考案で枕の位置は上部（２）の中心に入れても（８）（９）の握り手は充分引けるので患者に合わせて枕を置いたり外したり出来る。【００１７】  本考案ループシートはおむつ交換で汚すと全体の取替えになるため丈を短かめに選択してある。【００１８】  本考案のループシートの握り手口は患者の腕・顔が誤って入らない長さの安全な介護用品にしてある。
【考案を実施するための最良の形態】
【００１９】  本考案は摩擦係数の大きい材質を使用し、患者が上向きに寝て巾は充分の面積を有する。丈は腰部下までとし、シート本体（１）の形状にする。【００２０】  シート本体（１）の巾端に握り手（３）（４）（５）（６）（７）を左右対照に付けた。上部（２）の左右に（８）（９）と握り手をつける。体重を持ち上げる握り手には幾重にも縫ってしっかり固定する。【００２１】  本考案は滑り落ち、沈み込みの難問を除く材質を選び、シーツ・エアーマット・アクションパット等の上に広範囲に活用できる。サイズに於いても選択がある。【００２２】  本考案は体位変換しても寝たきりの患者の背中は湿り気を持ち易く褥瘡の原因になる。従って、丈夫で容易に洗濯が出来て清潔なものが適している。
【図面の簡単な説明】
【００２３】
【図１】本考案の平面図である。
【図２】本考案のシートＡ−Ａ′は断面拡大図である
【図３】本考案のシートＢ−Ｂ′は断面拡大図である
【図４】本考案のシートＣ−Ｃ′は断面拡大図である
【図５】本考案のシートの使用状態の例を示す略図である
【符号の説明】
【００２４】１シートの本体
２上部
３握り手
４握り手
５握り手
６握り手
７握り手
８握り手
９握り手
【図１】
0003114976.tif 000003
【図２】
0003114976.tif 000004
【図３】
0003114976.tif 000005
【図４】
0003114976.tif 000006
【図５】
0003114976.tif 000007
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
摩擦係数の大きい係止面よりなる材質で、シーツ、エアーマット上に敷くことで、滑り止め防止になる介護用体位変換ループシートであって、患者が仰臥位状態で充分の巾広で、丈は首部分から腰部分下までの長方形を形成し、巾両端部・頭部分の三方に握り手を設けたことに特徴がある介護用体位変換ループシート。
(57)【要約】      （修正有）【課題】流し台の生ゴミ入れに関し、悪臭防止、取扱い容易を課題とする。【解決手段】ふた２の裏に、ふたのひっかけフックを付ける。容器１の底を、底あみ４にする。そして容器１の側面に吸盤３をつけ流し台の内に取り付け、吸着固定する。【選択図】図１
0003114980.tif 000002
【実用新案登録請求の範囲】
【請求項１】
１つ以上の吸盤を有し、底があみ状になっている容器と、１つ以上のフックを有するふたとを具備し前記容器に前記ふたをかぶせたことを特微とする台所流しの生ゴミ入れ容器。
【考案の詳細な説明】
【考案の詳細な説明】
【考案に属する技術分野】
【０００１】  この考案は流し台生ゴミ入れに関し、悪臭防止、取扱い容易を目的とした技術に属する。
【背景技術】
【０００２】  従来の生ゴミ入れは、ふたがなくて生ゴミが見えたり、臭気があって不衛生で不快感を伴う。又、容器が固定されていないと食器を洗ったり水を流す際にぶつかったり倒れたり移動して不便である。
【考案が解決しようとする課題】
【０００３】  本案は、その欠点を除いて衛生的で臭いもなく清潔があり流しに固定できるもので、主婦の感点から長年の不便を改良しようと考案したものである。
【課題を解決するための手段】
【０００４】  従来の生ゴミ入れに、以下の部材を取り付ける。
１．吸着盤
２．臭い防止のふた
【考案を実施するための最良の形態】
【０００５】  実施例を図面を用いて以下に説明する。
（イ）容器（１）の側面に２ケ所吸盤（３）を取り付ける。
（ロ）容器（１）の底（４）はあみ状にする。
（ハ）ふた（２）の裏面にふたひっかけフック（５）を取り付ける。
本案は、以上のような構造であるから、これを使用する時は流し台側面の都合のよい所どこにでも吸盤で取り付けることができる。使用中の際は、ふたを取りふたはひっかけフックで容器の側面にひっかけておく。（図４）このため使用中の際のふたが邪魔にならない。このふた付き容器は、上部や側面の周囲がふさがれていることによって、生ゴミの臭気を防ぐことができる。
【考案の効果】
【０００６】  したがって、本考案に基づく流し台の生ゴミ入れ容器は生ゴミが見えず臭いも防ぐことができるので、衛生的で清潔感があり吸盤で固定されているので移動もなく安定感のある流し台生ゴミ入れ容器を提供することができる。
【図面の簡単な説明】
【０００７】
【図１】  本考案の横正面図
【図２】  本考案の裏底面図
【図３】  本考案のふた裏面図
【図４】  本考案のふたひっかけ図
【符号の説明】
【０００８】  １．容器
２．ふた
３．吸盤
４．底あみ
５．ふたのひっかけフック
【図１】
0003114980.tif 000003
【図２】
0003114980.tif 000004
【図３】
0003114980.tif 000005
【図４】
0003114980.tif 000006
(57)【要約】【課題】  本考案は、水管理を容易にするため底面に支柱、上部にスリットを持ち、底面給水機能を利用した植物鉢植え用の鉢カバーに関するものである。【解決手段】  上部に給水用のスリットを持ち、内側底面部分に支柱がある形状により、水を溜めるスペース（８）と、インナーポット（４）を分離し、底面給水用のひも（３）を取り付ける。鉢カバーの素材は、通水性がなく、水量が外側から目視できる程度の透明度のあるものを利用する。【選択図】  図３
0003114977.tif 000002
【実用新案登録請求の範囲】
【請求項１】
植物が植えてある鉢（インナーポット）をそのまま差し込んで利用するために、内部に保水スペースとインナーポットが水に浸からないスペースを確保するための支柱と、上部に給水のためのくぼみ（スリット）を持ち、水量が目視できる程度の透明度がある素材でできた鉢カバー。
【考案の詳細な説明】
【考案の詳細な説明】
【技術分野】
【０００１】  本考案は、植物の鉢植え（インナーポット）を直接差し込んで利用する鉢カバーに関するものである。
【背景技術】
【０００２】  従来、観葉植物など大型鉢植えに使用される鉢は、生産流通過程で使用されたものが植え替えられることなくそのまま販売されることが多いので、観葉植物等を室内に置く場合は鉢カバーを利用することが多くみうけられる。【０００３】  鉢カバーは室内で植物に必要な水を与える場合の受け皿として利用されたり、見栄えの良いものにする目的で使用されるのものはあった。しかし消費者が購入した大型の鉢植えを、そのまま差し込んで利用し、保水、給水等の水管理が容易にでき、デザイン的にも優れている点を併せ持つものはなかった。
【考案が解決しようとする課題】
【０００４】  本考案は、大型の観葉植物のような鉢植えを楽しむため、これらの機能、特徴を併せ持つ鉢カバーを開発しようとするものである。
【課題を解決するための手段】
【０００５】  上記の目的を達成するために、植物の水管理を容易にする仕組みを採用し、鉢カバーの構造と形状を考案する。
イ）  図１に示すように、大型の観葉植物を差し込む鉢カバーの内側底面部分に円柱または角柱の支柱（１）を設け、差し込まれる鉢（インナーポット）の底を支柱の上部で支えることにより、鉢カバー内側に水を溜めるスペース（８）と、水に浸からないスペース（７）を確保する。
ロ）  図２に示すように、差し込む鉢（インナーポット）の底穴（２）に給水ひも（３）を取り付ける。
ハ）  給水ひもを取り付けた鉢（４）を差し込む。鉢カバー（５）の上部にはスリット（６）があり、このスリットは給水時と鉢の取り出し時に役立つ。鉢カバー（５）は生産、流通過程で用いられる鉢（４）がそのまま図３のように差し込める内寸を持ち、水位が確認できる程度の透明感のある素材で、かつ底に水がためられる通水性のない素材を採用する。
【考案を実施するための最良の形態】
【０００６】  本考案は以上のような構成であるから、これを使用するときは、インナーポット（４）を鉢カバー（５）に差し込み、鉢カバー内部の支柱先端と差し込んだ鉢の底面が接触する位置よりやや低い位置まで、鉢カバー上部のスリット（６）から水を注入する。
【考案の効果】
【０００７】  鉢を植え替えることなく、また室内においても容易な水管理が可能であり、かつデザイン的にも優れた鉢カバーにより存在感のある大型の植物も手軽に楽しむことができる。
【図面の簡単な説明】
【図１】  本考案の鉢カバーにおける、請求項１の支柱とスリット（６）を示す立体斜視図。
【図２】  底面給水システムを利用するため、インナーポットの底に、付属の専用スティック（９）を利用して、給水ひもを取り付けた状態を示す図。
【図３】  本考案の鉢カバーにインナーポットを組み合わせ、給水方法と給水ひも、インナーポットを支える構造と水が溜まる状態を示す断面図。
【符号の説明】
１は支柱
２はインナーポットの底穴
３は給水ひも
４はインナーポット
５は鉢カバー
６は給水口（スリット）
７は植物の根が直接水に触れることのないスペース
８水が溜まるスペース
９付属の専用スティック
【図１】
0003114977.tif 000003
【図２】
0003114977.tif 000004
【図３】
0003114977.tif 000005
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
植物が植えてある鉢（インナーポット）をそのまま差し込んで利用するために、内部に保水スペースとインナーポットが水に浸からないスペースを確保するための支柱と、上部に給水のためのスリットを持ち、水量が目視できる程度の透明度がある素材でできた鉢カバー。
(57)【要約】【課題】    野外でのペットの糞を、取り付けた収納袋に取り入れ、収納した糞を簡単に処理出来る。折りたたむことが出来るので持ち運びに便利である。【解決手段】    袋の取り付けも簡単で１，２，３の部分に袋をかぶせ４，５の部分に袋の先を挿むことで袋がズレ落ちることがないので糞を収納できます。【選択図】    図４
0003114971.tif 000002
【実用新案登録請求の範囲】
【請求項１】
犬の糞を処理する目的で清潔に、簡単に使うことが出来る。
糞をすくい取る方法で直接、手で触ることがないので、清潔である。フレームとスティックが折りたたむ事が出き、スティックが伸び縮みするのでコンハクトで持ち運びができるペット用汚物機。
【考案の詳細な説明】
【技術分野】
【０００１】本発明はペットの糞を取る糞処理機に関するものである。
【背景技術】
【０００２】野外での犬の糞の後始末の時、ちり紙やビニールの袋などを使い、手で処理していた。又はそのまま糞を放置していた。
【考案の開示】
【考案が解決しようとする課題】
【０００３】糞の処理を手で取る事がない、屈んで取ることが多いので腰痛の人には苦痛である。
これらの欠点を解決するために工夫されたものである。
【課題を解決するための手段】
【０００４】７のスティックが伸び縮みするように出来ている。  ６のスティックとフレームの止ネジで角度が、変えられるので排便中でもよく観察でき、折りたたみが出来るのでコンパクトに収納出来るので持ち運びが便利である。
【考案の効果】
【０００５】糞を袋の中に掬い取るため、床や道路を汚すことなく衛生的に処理が出来、立ったままで糞を処理できるので腰への負担がない。
【考案の実施するための最良の形態】
【０００６】添付図面に従って具体化した実施例を説明する、本考案の図面１、８をフレームと名称します。フレームは針金にビニールをコーティングすることにより、弾力性があり袋を４，５に挟みこんだときでもズレることがない。３の部分をＵ型にすることでバネの働きで袋をしっかり抑えることが出来る。又、袋の取り外しがスムーズにできる。
【実施例】
【０００７】本考案の図面の図４、フレームの１，２，３の部分にビニールの先を折り曲げ袋をかぶせ４、５の部分にビニール袋の先を挟むことによりズレ落ちることがなく糞を掬い取ることができる。図面の図５、３の部分がＵ型なのでバネの働きをするので１，２で糞をつまんで取ることが出来る。【０００８】図４の付別のスティックが伸び縮みが出来る。６の部分をネジで止めているので角度が自由に調節出来るようになっている。【０００９】フレームがＵ型に設計されているので、萎めたり、広げることで、小型犬から大型犬まで、使うことが出来る。
【図面の簡単な説明】
【００１０】
【図１】  本考案の上からの図形
【図２】  本考案の横からの図形
【図３】  本考案の前方からの図形
【図４】  実施例を示す正面図である。
【図５】  落ちた糞をつまみ取る図面である。
【符号の説明】
【００１１】１    左、先端袋掛けフレーム
２    右、先端袋掛けフレーム
３    後方Ｕ型袋掛けフレーム
４    右、袋挿み
５    左、袋挿み
６    止めネジ
７    スティック
８    フレーム
９    ビニール袋
１０  糞
１１  犬
【図１】
0003114971.tif 000003
【図２】
0003114971.tif 000004
【図３】
0003114971.tif 000005
【図４】
0003114971.tif 000006
【図５】
0003114971.tif 000007
【手続補正書】
【提出日】平成17年7月5日(2005.7.5)
【手続補正１】
【補正対象書類名】実用新案登録請求の範囲
【補正対象項目名】全文
【補正方法】変更
【補正の内容】
【実用新案登録請求の範囲】
【請求項１】
スティックと、前記スティックの一方の先端に設けたＵ型フレームとからなるペット用汚物機であって、前記Ｕ型フレームは右先端袋掛けフレーム、左先端袋掛けフレーム及び後方Ｕ型袋掛けフレームからなり、前記右先端袋掛けフレーム及び左先端袋掛けフレームは第１及び第２のフレームから成り、前記第１のフレームの一端は、前記後方Ｕ型袋掛けフレームに接続され、前記第１フレームの他端は、前記第２のフレームの一方の端と接続され、前記第２のフレームは、第１のフレーム側に延在し、且つ、第１のフレームとクロスしていることを特徴とするペット用汚物機。
(57)【要約】      （修正有）【課題】竹皮を使って竹皮の裂け易い欠点を克服し、丈夫で美しい容器を提供する。【解決手段】竹皮を裂いた平紐状の物を平織とか綾織状に編んで作ったシート１で容器の底面および周壁面を構成し、この容器の内面に竹皮の裏打ち２を展設し、容器口縁で上記竹皮編組のシート１と上記裏打ち２の竹皮とを口縁材３で挟持した。この構成により容器は竹皮の三重構造となり、竹皮の繊維の方向が交差しているため、丈夫な容器となるのである。【選択図】図１
0003114973.tif 000002
【実用新案登録請求の範囲】
【請求項１】
竹皮を裂いた平紐状の物を平織状，綾織状（網代編）等に編んで作られたシートによって容器の底面，周側壁を構成し、この容器の内側に竹皮の裏打ちとするべく竹皮を展設し、上記竹皮を編んだシートと裏打ちの竹皮を上記容器口縁で口縁材によって挟圧して容器口縁を形成した竹皮製容器。
【考案の詳細な説明】
【技術分野】
【０００１】
本考案は竹皮を編んで作った容器に関する。
【背景技術】
【０００２】
竹皮は美しく、非吸水性の自然素材なので、自然指向の現代においては包装材として色々な形で使われている。
【０００３】
しかし、竹皮は裂け易いと言う弱点があり、自然物なので一枚の大きさが限られており、実際は極く簡易な包装用として用いられているのが現状である。
【特許文献１】特開２００１−３０２０７号公報
【特許文献２】特開平１１−１２３７８９号公報
【特許文献３】特開平１１−２０８６５３号公報
【考案の開示】
【考案が解決しようとする課題】
【０００４】
本考案は強度的にも意匠的に優れ、かつ竹皮一枚の大きさに制約されない竹皮製の容器（箱）を提供しようとするものである。
【課題を解決するための手段】
【０００５】
竹皮を裂いた平紐状の竹皮を平織状，綾織状（網代編み）等に編んだシ−トで箱体の表面を作り、この箱体の内面に合わせて裁断した竹皮をこの箱体の内面に展設して裏打ちとし、箱体の口周縁を内外から剛性のある細幅の口縁材で挟んで補強した。
【考案の効果】
【０００６】
本考案竹皮製容器は竹皮を裂いた平紐状の物を縦横に編んだ出来たシ−トで容器の底面，側面を形成しているので、容器の底面，側面は自然に二重竹皮となっており、かつその二重の竹皮は繊維方向が直交しているから、全体としてはどの方向にも裂け難く丈夫である。その上さらに内面を竹皮で裏打ちしてあるので、内面は平滑であり、何を入れるにも不適な物がない。即ち、竹皮を編んだまゝの面は美麗であるが、引っ掛かりが多いから、細かい物を入れたり、粘着性のある生物（なまもの）の食品等を直接入れるには適さないが、平滑な竹皮の裏打ちによって、何でも入れることが出来るのである。また容器口縁が剛性のある細幅口縁材で挟んで補強してあるので、容器本体がしなやかな手触りでも、箱の形はしっかりしているため、同じ構造或は別構造の蓋体を被着する場合にも容器本体と蓋体を嵌め合わせ易い。
【考案を実施するための最良の形態】
【０００７】
図１に本考案の実施形態の一例を示す。図１Ａは全体を示し、図１Ｂは口縁部の一部を切欠拡大して示したものである。
【０００８】
１は細く裂いた竹皮を編んだシ−トで箱を平面に展開した形に作られ、箱の四側面となる部分を曲げ起こして箱を形成する。２はこの箱の内面に展設された竹皮の裏打ちである。３は箱の口縁を形成する口縁材で、竹を割った細幅の口縁材であり、この二枚の口縁材３で、竹皮を編んだシート１で作られた容器の口縁を裏打ち２の竹皮と共に内外から挟み、図の例では糸４で綴じている。竹皮の裏打ち２は竹皮の裏面を表にして展設されており、箱の内面は滑らかである。この裏打ち２は外側の竹皮を編んだ面と接着材で貼り合わせてもよい。この容器の蓋も同様の方法構造で作られる。
【実施例】
【０００９】
図２に本考案の実施例を示す。裂いた竹皮１１を平織状に編んで容器本体の底面１０を作る。各竹皮は底面１０より外方は編まずに延出しておく。竹皮の底面１０の四辺から四方外方に延出している部分１０’を直角に曲げ起こし、この曲げ起こした竹皮を横方向に縫うように別の竹皮１２を通して容器本体の周側壁を編んで行く。このようにして容器本体の形が完成する。この例では容器は前例のような四隅の重ね合わせ目が無く無縫である。この容器の内側に前例と同様に竹皮の裏打ちを敷き、容器口縁において竹皮シ−ト１と重ねて口縁材３で挟圧し、
クリップで固定する。容器の蓋も同じようにして作られる。
【産業上の利用可能性】
【００１０】
本考案竹皮製容器は竹皮の非吸水性により食品の容器に適しているが、全体が竹皮の三重構造であるから丈夫で美しく恒久的な用途にも適し、家庭用小物入れとかインテリヤにも使えるものである。
【図面の簡単な説明】
【００１１】
【図１】本考案の一実施形態を示す図。
【図２】本考案の他の実施例の組み立て構造を示す分解斜視図。
【符号の説明】
【００１２】
１  竹皮を編んだシ−ト
２  竹皮の裏打ち
３  口縁材
４  糸
【図１】
0003114973.tif 000003
【図２】
0003114973.tif 000004
【手続補正書】
【提出日】平成17年6月20日(2005.6.20)
【手続補正１】
【補正対象書類名】実用新案登録請求の範囲
【補正対象項目名】全文
【補正方法】変更
【補正の内容】
【実用新案登録請求の範囲】
【請求項１】
竹皮を裂いた平紐状の物を平織状，綾織状等に編んで作られたシ−トによって
容器の底面，周側壁を構成し、この容器の内側に竹皮の裏打ちとするべく竹皮を
展設し、上記竹皮を編んだシ−トと裏打ちの竹皮を上記容器口縁で口縁材によっ
て挟圧して容器口縁を形成した竹皮製容器。
(57)【要約】【課題】  一般家庭等の水道水により、一般家屋等の生活排水管や下水管及び排水暗渠等の内部を容易に洗浄することのできる装置を提供する。【解決手段】  生活排水管や下水管及び排水暗渠等の流末口から、家庭用散水ホース等の先端に挿入方向と逆方向に設けた複数の噴射孔２を持った先端が丸くコンパクトなノズル１を取り付け、水道水の水圧だけで排水管の内部の汚れを容易に洗浄することができる。このとき、水道水を斜め後ろに噴出することにより、その水圧で排水管内を自走する能力がある。このため、屈曲部でもホース５にわずかな力を与えるだけで簡単に挿入できる。さらに、ホース５の逸脱防止用の突起３を有した洗浄ノズルの逸脱防止用カップラー４も付いており、ホース５とノズル１との逸脱によるトラブルを回避し、特殊な技術を必要とせず、誰でもが容易に洗浄作業ができる。【選択図】図３
0003114972.tif 000002
【実用新案登録請求の範囲】
【請求項１】
一般家庭等の水道水により、一般家屋等の生活排水管や下水管及び排水暗渠等の内部を特殊な技術を必要とせず、誰でもが容易にかつ経済的に洗浄するため、挿入方向と逆方向に設けた複数の噴射孔から噴射される水圧により排水管等の内部を自走する能力を持つところを特徴とした先端が丸くコンパクトな洗浄ノズル。
【請求項２】
洗浄ノズルとホースとを固定させ、逸脱させない機能を有した、洗浄ノズルと逸脱防止用カップラーに設けられた突起とその組み合わせ。
【請求項３】
洗浄ノズルとホースとを固定させ、逸脱させない機能を有した、洗浄ノズルに装着する突起を設けた逸脱防止用カップラー。
【考案の詳細な説明】
【技術分野】
【０００１】  本考案は、一般家庭等の水道水により、生活排水管及び下水管及び排水暗渠等の管内部を容易に洗浄できるノズルに関するものである。
【背景技術】
【０００２】  生活排水管及び下水管等の管内部を洗浄する場合、特殊な装置を持った専門業者にその作業を委託していた。
【考案の開示】
【考案が解決しようとする課題】
【０００３】  専門業者等による排水管の内部洗浄は経済的負担も大きく、また、特殊な技術及び装置も必要となる。従って、このノズルを家庭用散水用ホース等に装着することにより、誰でもが容易にかつ経済的に排水管を洗浄することを可能にしようとするものである。
【課題を解決するための手段】
【０００４】  本考案は、生活排水管や下水管及び排水暗渠等の流末口から、先端に挿入方向と逆方向に設けた複数の噴射孔を持った先端が丸くコンパクトなノズルを取り付けた家庭用散水ホース等を挿入し、水道水の水圧だけで排水管等の内部の汚れを容易に洗浄することにより問題点を解決している。
【考案の効果】
【０００５】  上述の様に、本考案の排水管の洗浄ノズルは生活排水管や下水管等の管内を洗浄することは勿論、一般家庭用の水道水と散水ホース等を利用できるため、非常に経済的である。また、水道水を斜め後ろに噴出することにより、その水圧で排水管内を自走する能力がある。このため、屈曲部でもホースにわずかな力を与えるだけで簡単に挿入できる。さらに、洗浄ノズルの逸脱防止用カップラーも付いており、特殊な技術を必要とせず、誰でもが容易に洗浄作業ができる。また、定期的に排水管内を洗浄することにより、排水管の致命的なつまり等による取替えを防止することができ、省資源に寄与できる。
【考案の実施するための最良の形態】
【０００６】  一般家庭用の水道水の蛇口に散水用ホース等を取り付け、そのホースの先端に考案の洗浄用ノズルを装着し、さらに、カップラーによりホースを固定する。洗浄用ノズルが装着されたホースの先端を、生活排水管や下水管の流末口から挿入し、水道水を洗浄用ノズルから噴出し排水管の内部を洗浄する。
【実施例】
【０００７】  以下、添付図面に従って実施例を説明する。１は耐久性プラスチック等適宜素材にて形成された洗浄ノズル本体であり、２のような噴射孔より水道水を斜め後ろに噴出することにより、その水圧で排水管内を自走する能力がある。１の洗浄ノズル本体と４のホース逸脱防止用のカップラーに設けられた３の突起により５のホースを固定する。
【図面の簡単な説明】
【０００８】
【図１】本考案の排水管洗浄ノズルの断面図である。
【図２】逸脱防止用のカップラーの断面図である。
【図３】排水管洗浄ノズルのカップラー装着時の断面図である。
【符号の説明】
【０００９】１  洗浄ノズル本体
２  噴射孔
３  突起
４  ホース逸脱防止用カップラー
５  ホース
【図１】
0003114972.tif 000003
【図２】
0003114972.tif 000004
【図３】
0003114972.tif 000005
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
水道ホース等の先端に取り付けるノズルであって、該ノズルは斜め後ろ方向に水を噴射さ      せる孔を有しており、水を斜め後ろ方向に噴射することにより得られる推進力により、前      方方向に自走力を有することを特徴とするノズル。
(57)【要約】【課題】警報器を素早く起動することができるように、バッグ本体に警報機能を備えた警報機能付バッグを提供する。【解決手段】周囲に緊急事態を知らせる警報機能を備えたバッグであって、バッグ本体１に、バッグ所持者が操作しやすい位置にあるスイッチ４と、このスイッチ４をオンすることによって警告音を発し警報ランプを点灯する手段２，３とを備えた。【選択図】図１
0003114944.tif 000002
【実用新案登録請求の範囲】
【請求項１】
周囲に緊急事態を知らせる警報機能を備えたバッグであって、バッグ本体（１）に、バッグ所持者が操作しやすい位置にあるスイッチ（４）と、このスイッチをオンすることによって警告音を発し警報ランプを点灯する手段（２，３）とを備えたことを特徴とする警報機能付バッグ。
【請求項２】
前記警報ランプ（２）が所定の間隔で点灯及び消灯を繰り返す機能を備えていることを特徴とする請求項１に記載の警報機能付バッグ。
【考案の詳細な説明】
【技術分野】
【０００１】
本考案は、周囲に緊急事態を知らせる警報機能を備えたバッグに関する。
【背景技術】
【０００２】
痴漢やひったくりを威嚇したり病人の異変を知らせるために、スイッチ操作によってスピーカーから大きな音を発生させ、周囲に助けを求めるための携帯警報器は従来よりある。しかし、使用者は、この警報器をバッグ等に収納して携行するので、病状の急悪化等、いざという時に警報器をバッグから探し出してスイッチ操作しなければならず、素早く使用することができない。特に、老人や病人に異変が生じた時、警報器を探す余裕のない場合がほとんどであり、緊急時の対応には問題があった。
【考案の開示】
【考案が解決しようとする課題】
【０００３】
本考案が解決しようとする課題は、警報器を素早く起動することができるように、バッグ本体に警報機能を備えた警報機能付バッグを提供することにある。
【課題を解決するための手段】
【０００４】
上記の課題を解決するため、本考案に係る警報機能付バッグは、周囲に緊急事態を知らせる警報機能を備えたバッグであって、バッグ本体に、バッグ所持者が操作しやすい
位置にあるスイッチと、このスイッチをオンすることによって警告音を発し警報ランプを点灯する手段とを備えたものである。
【０００５】
好ましくは、警報ランプが所定の間隔で点灯及び消灯を繰り返す機能を備えている。
【考案の効果】
【０００６】
本考案は上記した構造であるので、女性や老人等が本考案に係る警報機能付バッグを所持することにより、通常は財布などの小物を持ち運ぶためのバッグとして利用でき、そして緊急事態を知らせる時は、簡単にスイッチを操作して素早く警告音や警報ランプを発して犯罪場所や救援場所を知らせることができるので、利便性、安全性に非常に優れている。
【０００７】
又、このバッグに、警報ランプが所定間隔で点灯及び消灯を繰り返す機能を備えることにより、周囲への報知効果を一層高めることができる。
【考案を実施するための最良の形態】
【０００８】
以下、図面に基づいて本考案に係る警報機能付バッグの一実施例について詳細に説明する。
【０００９】
図１は、本考案に係る警報機能付バッグの一実施例を示す斜視図である。図２は、本実施例の回路図である。
【００１０】
図１に示す、符号１はバッグ本体である。このバッグ本体１は、女性や老人等が気軽に持ち歩くことのできる、例えば合皮製の小型で軽量の肩掛け式のものが好ましい。そして、バッグ本体１の中央部に、発光ダイオード等からなる警報ランプ２が設けられている。この警報ランプ２は、バッグ所持者の周囲に対し、緊急事態であることをいち早く知らせることができるように、比較的大きく形成されており、さらに所定間隔で点灯と消灯を繰り返す機能を備えている。
【００１１】
バッグ本体１の上部には、ブザー３が設けられている。このブザー３から発するブザー音によって、周囲に救援を求めることができる。又、音声合成ＩＣ、音声出力ＩＣ、スピーカなどを組み合わせることにより、「病院に連絡してください」、「助けてください」、「止めてください」、「人を呼びますよ」などの、使用者や使用状況に応じた注意警告音声を発するようにすることもできる。さらに、スイッチなどを押すごとに、警告音声を変更、選択できるようにしてもよい。
【００１２】
そして、バッグ本体１表側の、バッグ所持者が操作しやすい場所に、押しボタンスイッチ４が設けられている。この押しボタンスイッチ４は、警報ランプ２及びブザー３に接続されている。バッグ本体１の内側には、乾電池などの電源５が設けられており、押しボタンスイッチ４をＯＮすることによって、電源５から警報ランプ２及びブザー３へ電力が供給されて作動するよう構成されている。本例では押しボタンスイッチ４であるが、素早く操作でき警告ランプ２及びブザー３の連続作動可能な引抜き式のスイッチでもよい。又、スイッチ４はバッグの側部や吊り下げ部などに複数個設置しておいてもよい。
【００１３】
図２の如く、警報ランプ２及びブザー３は並列に接続され、これら２，３に押しボタンスイッチ４及び電源５が直列に接続されている。そして、警報ランプ２には、点滅制御部２１が接続されている。この点滅制御部２１は、所定間隔でパルス電圧を発し、このパルス電圧がコイルに印加されると接点が閉じる点滅リレーが設けられており、この点滅リレーの開閉に応じて、一定間隔で警報ランプ２が点滅するように構成されている。
【００１４】
さらに、警報ランプ２に第一切替スイッチ２０が、ブザー３に第二切替スイッチ３０が、それぞれ接続されている。この第一、第二切替スイッチ２０，３０のオン、オフによって、警報ランプ２及びブザー３の双方を動作させる外、これら２，３のいずれか一方のみ動作させることができる。又、ブザー３への電圧を調整する制御部を設け、ブザー音量を調整できるようにしてもよい。又、警報ランプ２とブザー３は常時双方を作動させるようにするのが望ましいが、時と場所によっては何れか一方を作動しないようにしてもよい。
【００１５】
以上説明したように、女性や老人等は、この警告バッグを肩からかけて外出することにより、通常は財布などの小物を持ち運ぶためのバッグとして利用することができる外、非常時には犯罪場所を知らせたり救援を求めることができるため、利便性、安全性に至極優れた機能を備えている。
【図面の簡単な説明】
【００１６】
【図１】本考案に係る警報機能付バッグの一実施例を示す斜視図である。
【図２】本実施例の回路図である。
【符号の説明】
【００１７】
１  バッグ本体
２  警報ランプ
３  ブザー
４  押しボタンスイッチ
５  電源
【図１】
0003114944.tif 000003
【図２】
0003114944.tif 000004
(57)【要約】      （修正有）【課題】収納ケース本体で直接洋服等を掛けることができるクローゼット機能を有する収納ケース装置を提供する。【解決手段】引出し収納ケース本体１複数段積重ねると共に、これを一つの収納ブロックXとして一定間隔を介して左右に横配列し、凹部３に干し竿を橋渡しする。【選択図】図９
0003114942.tif 000002
【実用新案登録請求の範囲】
【請求項１】
引出し自在な収納ケースと、この収納ケースを複数段積重ねると共に、これを一つの収納ブロックとして一定間隔を介して左右に横列配置し、而も左右の各々の収納ブロックの上面に収納ケースの引出し方向に対し、直交する方向に形成された干し竿が嵌り込む凹部とで成し、横列配置された収納ブロック間に亘って該干し竿を橋渡したことを特徴とする収納ケース装置。
【請求項２】
干し竿が嵌り込む凹部を収納ブロックの上蓋に形成したことを特徴とする請求項１記載の収納ケース装置。
【請求項３】
干し竿が嵌り込む凹部を上下間の隣接する収納ブロックの中間座枠に形成したことを特徴とする請求項１記載の収納ケース装置。
【考案の詳細な説明】
【技術分野】
【０００１】
本考案は、引出し型の収納ケースを複数段に積み重ねた収納ケース装置に関する。
【背景技術】
【０００２】
一般的に収納ケースは、洋服等を収納するケースとしてしか利用できず、また、図１に示す如く両側壁イ間をバネにて、弾圧架橋された所謂つっぱり棒ロは、掛ける洋服の量によってつっぱれる幅に限度がある。
【考案の開示】
【考案が解決しようとする課題】
【０００３】
本考案の目的は、従来の収納ケース等は、単なる洋服等を収納するケースとしてしか利用できず、また、つっぱり棒に関しては、洋服等の重みによって棒が落ちたり、棒が落ちないようサイドのねじをきつくしめることによって、両側の壁をへこましたり、傷つけたりする。また、洋服等の重みが関係する為、その棒の長さにも限界があった。
【課題を解決するための手段】
【０００４】
そこで、主に引出し収納ケース本体の上面にその引出し方向に対し直交する方向に干し竿が嵌り込む凹部を形成し、これにより収納ケース本体で直接洋服等を掛けることができるクロゼット機能を兼ね備える。
【考案の効果】
【０００５】
請求項１により、収納ケース本体に直接受けられるので、洋服の重みで棒が落ちたり、壁を傷つけることがなくなり、また、収納ケース本体を横方向に複数並べれば、重さを緩和できる為、畳１帖以上の押入れや、物入れ、ウォークインクロゼット、納戸等様々なスペースにも対応でき、掛けるものの長さによって好みの箇所に棒を張ることができる為、無駄なスペースをなくし収納することができる。
請求項３により、凹部の深さ分だけ、収納ケース本体内が狭くなり、収納量を損なうが、中間座枠にて補え、収納ケース本体の容積を変えることなく確保できる。
【考案を実施するための最良の形態】
【０００６】
以下本考案を最良の形態である実施例に基づいて説明する。
【実施例】
【０００７】
図２は、本考案に係わるケース本体１斜視図で、収納ケース２を引出し自在に有する。この収納ケース２は図９に示す如く複数段積み重ねると共に、これを一つの収納ブロックＸとして一定間隔を介して左右に横列配置する。
而して、同図はケース本体１を複数段積み重ねているが、勿論、１個の共通のケース１として、収納ケース２を複数備えてよい。
この収納ブロックＸの最上段のケース本体１の上面に、収納ケース２の引出し方向に対し、直交する方向に凹部３が形成されており、干し竿４が嵌り込む。勿論、同図に示す如く、中間に施してもよい。また、干し竿４には必要に応じハンガー５が掛けられ、収納ケース２には引出しがスムーズに出来るようにローラー８が備えられている。
図６、図７は干し竿４が嵌り込む凹部３を収納ブロックＸを構成する最上段のケース本体１の上蓋６に形成している。
図８は収納ブロックＸの中間、即ち上下に隣接するケース本体１の中間座枠７に形成しいる。
本考案に係わる収納ケースは、図４に示すように収納ケースの天板部分に窪み３をつけている。窪みの大きさは、干し竿等が納まる程で、窪みの形状は、四角・丸型でも良い。収納ケースの素材は、現在使用されている素材（ポリプロピレン・プラスチック等）でも良いが、ポリカーボネート等の強度のあるものを使用すると尚良い。
また、現存する様々な収納ケースに、しっかり重ねあわすことのできる収納ケースが望ましい。棒については、伸縮可能で軽量かつ丈夫な物干し竿（ステンレス・アルミニウム合金等の素材）がよい。
【図面の簡単な説明】
【０００８】
【図１】従来の収納ケース装置の正面図
【図２】本考案に係る収納ケース本体の斜視図
【図３】同上の正平面図
【図４】同上の側面図
【図５】同上の拡大断面図
【図６】同上の分解斜視図
【図７】同上の拡大断面図
【図８】異なる実施例を示す分解斜視図
【図９】本考案の使用例を示す斜視図
【符号の説明】
【０００９】
Ｘ    収納ブロック
１      ケース本体
２      収納ケース
３      凹部
４      干し竿
７    上蓋
【図１】
0003114942.tif 000003
【図２】
0003114942.tif 000004
【図３】
0003114942.tif 000005
【図４】
0003114942.tif 000006
【図５】
0003114942.tif 000007
【図６】
0003114942.tif 000008
【図７】
0003114942.tif 000009
【図８】
0003114942.tif 000010
【図９】
0003114942.tif 000011